(57)【要約】  炊飯器（１００Ａ）は、内釜（３０）を収容する本体（１０）と、本体に開閉自在に設けられる蓋体（２０）と、蓋体の下面に取り付けられ、おネバ溜め空間（６１ａ）を有する内蓋（４０Ａ）と、を備え、内蓋は、蓋体の下面に取り付けられる第一の内蓋（５０Ａ）と、第一の内蓋の下面に取り付けられる第二の内蓋（６０Ａ）と、を備え、第一の内蓋は、第二の内蓋を係止する第一の係止片（５４）を備え、第一の係止片は、第二の内蓋が第一の内蓋に取り付けられていない状態では、蓋体と干渉する位置にあり、第二の内蓋が第一の内蓋に取り付けられている状態では、蓋体と干渉しない位置にあるものである。
2017145437.tif 000002
【特許請求の範囲】
【請求項１】
内釜を収容する本体と、
前記本体に開閉自在に設けられる蓋体と、
前記蓋体の下面に取り付けられ、おネバ溜め空間を有する内蓋と、を備え、
前記内蓋は、
前記蓋体の下面に取り付けられる第一の内蓋と、
前記第一の内蓋の下面に取り付けられる第二の内蓋と、を備え、
前記第一の内蓋は、
前記第二の内蓋を係止する第一の係止片を備え、
前記第一の係止片は、
前記第二の内蓋が前記第一の内蓋に取り付けられていない状態では、前記蓋体と干渉する位置にあり、
前記第二の内蓋が前記第一の内蓋に取り付けられている状態では、前記蓋体と干渉しない位置にあるものである
炊飯器。
【請求項２】
内部に被加熱物を保持する前記内釜を備え、
前記蓋体は、前記第一の内蓋を係止する第二の係止片を備え、
前記第二の係止片は、
前記内蓋が前記蓋体に取り付けられていない状態では、前記内釜と干渉する位置にあり、
前記内蓋が前記蓋体に取り付けられている状態では、前記内釜と干渉しない位置にあるものである
請求項１に記載の炊飯器。
【請求項３】
前記第二の内蓋が前記第一の内蓋に取り付けられていない状態では、
前記第一の内蓋を前記蓋体に取り付ける方向に回動させると、
前記内蓋の前記第二の係止片が前記第一の内蓋と干渉する前に、前記第一の内蓋の前記第一の係止片が前記蓋体と干渉する
請求項２に記載の炊飯器。
【請求項４】
前記蓋体は、
外部へ排出される蒸気が通過する蒸気経路を形成する周縁部を備え、
前記第一の係止片は干渉部を備え、
前記干渉部は、前記第一の内蓋の上面側に設けられており、
前記第二の内蓋が前記第一の内蓋に取り付けられていない状態では、前記蓋体の前記周縁部と干渉するものであり、
前記第二の内蓋が前記第一の内蓋に取り付けられている状態では、前記周縁部内に収納されるものである
請求項１〜３のいずれか一項に記載の炊飯器。
【請求項５】
前記第一の係止片は、移動させる際に把持されるレバー部を備え、
前記レバー部は、前記第一の内蓋の下面側に設けられているものである
請求項４に記載の炊飯器。
【請求項６】
前記第一の係止片は、移動させる際に把持されるレバー部を備え、
前記レバー部は、前記第一の内蓋の上面側に設けられており、
前記第一の係止片は、前記第二の内蓋が前記第一の内蓋に取り付けられている状態では、前記周縁部内に収納されるものである
請求項４に記載の炊飯器。
【請求項７】
前記第二の内蓋を前記第一の内蓋から取り外す際に必要な前記第一の係止片の移動量は、前記内蓋が前記蓋体に取り付けられた状態で前記第一の係止片の前記干渉部が前記蓋体の前記周縁部と干渉するまでの移動量よりも大きい
請求項４〜６のいずれか一項に記載の炊飯器。
【請求項８】
前記内蓋は、外部へ排出される蒸気が通過する連通孔を有し、
前記連通孔は、前記第一の係止片が設けられている位置以外、かつ、前記第一の係止片の移動範囲外の位置に設けられている
請求項１〜７のいずれか一項に記載の炊飯器。
【請求項９】
前記第一の係止片はＳＰＳで構成されているものである
請求項１〜８のいずれか一項に記載の炊飯器。
【発明の詳細な説明】
【技術分野】
【０００１】
本発明は、液状物の受け皿の取り付け忘れを防止する炊飯器に関するものである。
【背景技術】
【０００２】
従来の炊飯器において、内釜を取り出し自在に配置する本体を備え、この本体に内釜を覆う蓋体が開閉自在に設けられている。蓋体には、内釜の上端開口を閉塞する第一の内蓋が着脱自在に設けられている。また、第一の内蓋の内釜側となる下面には、液状物であるおネバを分離して戻す受け皿（第二の内蓋）がさらに着脱自在に設けられている。なお、第二の内蓋は、第一の内蓋に設けられた排気通路の入口、つまり排気孔の目詰まりを防止するフィルタの役割を兼ねる。【０００３】
しかし、上記の炊飯器は、ユーザの誤使用により第一の内蓋に第二の内蓋を取り付け忘れた状態で炊飯処理が実行されることがある。この場合、発生したおネバを分離することができず、ふきこぼれが発生するという問題があった。【０００４】
そこで、従来、下側カバーの取り付け忘れを防止する炊飯器が提案されている（たとえば、特許文献１参照）。
特許文献１は、第一の内蓋から第二の内蓋を取り外した状態で内釜または本体に干渉する干渉位置、つまり接触する位置に移動し、第二の内蓋の取り付けた状態で内釜または本体に干渉しない非干渉位置、つまり接触しない位置に移動する干渉部材を備えている。そして、第二の内蓋を取り外すと干渉部材が非干渉位置から干渉位置に移動するため、この状態で蓋体を閉じようとすると干渉部材が内釜または本体に干渉する。その結果、第二の内蓋が取り付けられていない状態をユーザに認識させることができ、第二の内蓋が取り付けられていない状態で調理が行われるという誤使用を防止できる。
【先行技術文献】
【特許文献】
【０００５】
【特許文献１】特開２０１５−９７５７５号公報
【発明の概要】
【発明が解決しようとする課題】
【０００６】
しかし、特許文献１は、第二の内蓋を第一の内蓋に取り付ける機構とは別に、第二の内蓋の取り付け忘れを防止する機構を設ける必要があるため、コストがかかるという課題があった。【０００７】
本発明は、以上のような課題を解決するためになされたもので、コストを抑制しつつ、下側カバーの取り付け忘れを防止することができる炊飯器を提供することを目的としている。
【課題を解決するための手段】
【０００８】
本発明に係る炊飯器は、内釜を収容する本体と、前記本体に開閉自在に設けられる蓋体と、前記蓋体の下面に取り付けられ、おネバ溜め空間を有する内蓋と、を備え、前記内蓋は、前記蓋体の下面に取り付けられる第一の内蓋と、前記第一の内蓋の下面に取り付けられる第二の内蓋と、を備え、前記第一の内蓋は、前記第二の内蓋を係止する第一の係止片を備え、前記第一の係止片は、前記第二の内蓋が前記第一の内蓋に取り付けられていない状態では、前記蓋体と干渉する位置にあり、前記第二の内蓋が前記第一の内蓋に取り付けられている状態では、前記蓋体と干渉しない位置にあるものである。
【発明の効果】
【０００９】
本発明に係る炊飯器によれば、第一の内蓋が備える第一の係止片により、第二の内蓋を係止し、第二の内蓋を第一の内蓋に取り付けることができる。また、第二の内蓋が第一の内蓋に取り付けられていない状態で第一の内蓋を蓋体に取り付けようとすると、第一の内蓋の第一の係止片と蓋体とが干渉し、第一の内蓋を蓋体に取り付けることができない。そのため、第二の内蓋の取り付け忘れを防止することができる。つまり、第一の係止片により、第二の内蓋を第一の内蓋に取り付けることができ、第二の内蓋の取り付け忘れを防止することができるため、第二の内蓋を第一の内蓋に取り付ける機構と第二の内蓋の取り付け忘れを防止する機構とを別に設ける必要がなく、コストを抑制しつつ、第二の内蓋の取り付け忘れを防止することができる。
【図面の簡単な説明】
【００１０】
【図１】本発明の実施の形態１に係る炊飯器の外観斜視図である。
【図２】本発明の実施の形態１に係る炊飯器の内蓋を取り外した状態の外観斜視図である。
【図３】本発明の実施の形態１に係る炊飯器の縦断面概略図である。
【図４】本発明の実施の形態１に係る炊飯器の蒸気経路周辺の縦断面概略図である。
【図５】本発明の実施の形態１に係る内蓋を下面側から見た外観斜視図である。
【図６】本発明の実施の形態１に係る内蓋の側面概略図である。
【図７】本発明の実施の形態１に係る内蓋の分解斜視図である。
【図８】本発明の実施の形態１に係る第一の内蓋の外観斜視図である。
【図９】本発明の実施の形態１に係る第二の内蓋の外観斜視図である。
【図１０】本発明の実施の形態１に係る第二の内蓋の第一の内蓋への着脱方法を説明する内蓋の側面概略図である。
【図１１】本発明の実施の形態１に係る炊飯器の第一の内蓋に第二の内蓋が取り付けられている状態の蓋体周辺の側面概略図である。
【図１２】本発明の実施の形態１に係る炊飯器の第一の内蓋に第二の内蓋が取り付けられていない状態の蓋体周辺の側面概略図である。
【図１３】本発明の実施の形態１に係る炊飯器の第一の内蓋に第二の内蓋が取り付けられている状態の縦断面概略図である。
【図１４】本発明の実施の形態１に係る炊飯器の第一の内蓋に第二の内蓋が取り付けられていない状態の縦断面概略図である。
【図１５】本発明の実施の形態１に係る第一の内蓋の第一の係止片の干渉部の位置を説明する平面視図である。
【図１６】本発明の実施の形態１に係る炊飯器の蓋体に内蓋が取り付けられていない状態の縦断面概略図である。
【図１７】本発明の実施の形態２に係る炊飯器の縦断面概略図である。
【図１８】本発明の実施の形態２に係る内蓋を下面側から見た外観斜視図である。
【図１９】本発明の実施の形態２に係る内蓋を上面側から見た外観斜視図である。
【図２０】本発明の実施の形態２に係る内蓋の分解斜視図である。
【図２１】本発明の実施の形態２に係る第二の内蓋の第一の内蓋への着脱方法を説明する内蓋の側面概略図である。
【図２２】本発明の実施の形態２に係る炊飯器の第一の内蓋に第二の内蓋が取り付けられている状態の蓋体周辺の縦断面概略図である。
【図２３】本発明の実施の形態２に係る炊飯器の第一の内蓋に第二の内蓋が取り付けられていない状態の蓋体周辺の縦断面概略図である。
【図２４】本発明の実施の形態２に係る第一の内蓋の第一の係止片の干渉部の位置を説明する平面視図である。
【発明を実施するための形態】
【００１１】
以下、本発明の実施の形態を図面に基づいて説明する。なお、以下に説明する実施の形態によって本発明が限定されるものではない。また、以下の図面では各構成部材の大きさの関係が実際のものとは異なる場合がある。
【００１２】
実施の形態１．
図１は、本発明の実施の形態１に係る炊飯器１００Ａの外観斜視図であり、図２は、本発明の実施の形態１に係る炊飯器１００Ａの内蓋４０Ａを取り外した状態の外観斜視図であり、図３は、本発明の実施の形態１に係る炊飯器１００Ａの縦断面概略図であり、図４は、本発明の実施の形態１に係る炊飯器１００Ａの蒸気経路周辺の縦断面概略図である。
図１〜図３に示すように、本実施の形態１に係る炊飯器１００Ａは、内部に米などの調理物である被加熱物を保持する有底筒状の内釜３０が取り出し自在に収容され、内釜３０を誘導加熱する加熱手段である加熱コイル１１を有する箱体形状の本体１０と、本体１０のヒンジ部１２に開閉自在に設けられた蓋体２０と、蓋体２０の内釜３０側となる面、つまり下面に着脱自在に取り付けられ、蓋体２０で本体１０の上面を閉じた際に、内釜３０の上部開口を閉塞する内蓋４０Ａとを備えている。
【００１３】
図３に示すように、内釜３０は、外周面の上側に、外側に向かって突出したフランジ３１が外周に沿って設けられている。加熱コイル１１は、それぞれ円環状に形成され、内釜３０が収容される開口の底部に配置されている。その底部の中央には、加熱コイル１１により誘導加熱される内釜３０の温度を検出する温度センサー１３が設置されている。
【００１４】
本体１０の前面には、蓋体２０を開ける際に押下される開閉ボタン１４が設けられている。この開閉ボタン１４を押下すると、蓋体２０と本体１０との係止が解除されて、蓋体２０を開けることができる。また、本体１０の内部の背面側には、商用電源を高周波電力に変換して加熱コイル１１に供給するための回路が実装された電源基板１５が設けられている。この電源基板１５は、インバーター回路を構成するスイッチング素子などの部品で構成されている。
【００１５】
蓋体２０の上面の前面側には、炊飯ボタンなどの各種操作ボタンを備えた操作パネル２１が設けられている。蓋体２０の内部には、操作パネル２１の各種入力スイッチ、液晶パネルが実装された操作基板２２が設けられている。操作基板２２は、操作パネル２１からの入力に基づいて電源基板１５に制御信号を出力するとともに、液晶パネルに炊飯器１００Ａの動作状態などを表示させる。なお、操作基板２２を構成する回路は、その機能を実現する回路デバイスのようなハードウェアで構成することもできるし、ＣＰＵ、マイコンなどの演算装置とその動作を規定するソフトウェアで構成することもできる。また、蓋体２０の下面には、内釜３０内の温度を検知する蓋センサー２３と、本体１０内に収容される内釜３０内を上方から加熱するための蓋ヒーター２４と、が設けられている。
【００１６】
内蓋４０Ａは、蓋体２０の下面に取り付けられる第一の内蓋５０Ａと、第一の内蓋５０Ａの内釜３０側となる面、つまり下面に取り付けられる第二の内蓋６０Ａとからなる。そして、第一の内蓋５０Ａは第二の内蓋６０Ａよりも蓋体２０側に位置し、第二の内蓋６０Ａは第一の内蓋５０Ａよりも内釜３０側に位置している。また、第二の内蓋６０Ａには、中央部が下方に突出した溜まり部６１が形成されており、図４に示すように、第一の内蓋５０Ａと第二の内蓋６０Ａとの間には、おネバを溜める空間であるおネバ溜め空間６１ａが形成されている。このおネバ溜め空間６１ａは、内釜３０内で発生した蒸気が通過する経路の役割も果たしている。
【００１７】
第一の内蓋５０Ａの外周部には、内蓋４０Ａと内釜３０との間を密閉状態、つまり内釜３０内を密閉状態にする第一のパッキン５１が設けられている。図３に示すように、第二の内蓋６０Ａの中央には、内釜３０内の蒸気圧に応じて上下に移動して連結口（図示せず）を開閉する開閉弁６２が設けられており、その開閉弁６２の周りには、おネバ溜め空間６１ａの入口である複数の第二の連通孔６３が形成されている。さらに、第二の連通孔６３の周り、つまり外周部には第一の内蓋５０Ａと第二の内蓋６０Ａとの間を密閉状態、つまりおネバ溜め空間６１ａを密閉状態にする第二のパッキン６４が設けられている。また、図４に示すように、第一の内蓋５０Ａには、おネバ溜め空間６１ａの出口である複数の第一の連通孔５２が形成されている。つまり、第一の連通孔５２と第二の連通孔６３とは連通している。
【００１８】
図３に示すように、蓋体２０の内側側面の前面側には、内蓋４０Ａの第一の内蓋５０Ａを係止する第二の係止片２５が設けられている。この第二の係止片２５には、凹形状の凹部２５ａが設けられている。また、図２に示すように、蓋体２０の内側側面の背面側には、２つの支持部２６が間隔を開けて設けられている。これら支持部２６と蓋体２０の下面との間には第一の内蓋５０Ａの第一の凸部５７（後述する図８参照）の厚さ程度の隙間が形成されている。なお、支持部２６の数は２つに限定されず、３つ以上でもよい。また、図４に示すように、蓋体２０の内部には、内釜３０内で発生した蒸気が通過する経路である蓋体蒸気経路２７ａを形成する周縁部２７が設けられている。また、蓋体２０の上面には、蓋体蒸気経路２７ａの出口である蒸気口２８が形成されている。また、周縁部２７の外側には、蓋体２０と第一の内蓋５０Ａとの間を密閉状態、つまり蓋体蒸気経路２７ａを密閉状態にする第三のパッキン２９が設けられている。
【００１９】
なお、内蓋４０Ａが蓋体２０の下面に取り付けられた状態において、蓋体２０および内蓋４０Ａを平面視して第一の連通孔５２と蓋体蒸気経路２７ａとが重なる位置に形成されている。つまり、第一の連通孔５２は蓋体蒸気経路２７ａの入口となる。そのため、おネバ溜め空間６１ａと蓋体蒸気経路２７ａとは連通しており、第二の連通孔６３と第一の連通孔５２と蒸気口２８とは全て連通している。
【００２０】
ここで、炊飯器１００Ａは、内釜３０内に米と水とを収容して加熱コイル１１によって内釜３０を加熱してご飯を炊き上げるが、炊飯中においては、内釜３０内では主に蒸気が発生して、第二の連通孔６３、おネバ溜め空間６１ａ、第一の連通孔５２、蓋体蒸気経路２７ａの順で通過し、蒸気口２８から炊飯器１００Ａの外部へ排出される。
【００２１】
そして、炊飯中には、蒸気とともにおネバが内釜３０内を上昇し、蒸気とともに上昇したおネバは、第二の連通孔６３から内蓋４０Ａ内のおネバ溜め空間６１ａに入り、おネバ溜め空間６１ａにおネバが溜め込まれる。このときおネバと蒸気とは分離され、蒸気は第一の連通孔５２を通過して蒸気口２８から炊飯器１００Ａの外部へ排出される。
【００２２】
一方、分離されたおネバは第二の内蓋６０Ａが受け皿となり、溜まり部６１に溜め込まれることになる。そして、炊飯終了後に内釜３０内の圧力が下がると、開閉弁６２は自重とおネバの重さにより下がり、連結口が開いてそこからおネバ溜め空間６１ａ内に溜め込まれたおネバが内釜３０内に戻されることになるため、美味しいご飯を炊き上げることができる。また、おネバを内釜３０内に効率的に戻すことができる。
【００２３】
図５は、本発明の実施の形態１に係る内蓋４０Ａを下面側から見た外観斜視図であり、図６は、本発明の実施の形態１に係る内蓋４０Ａの側面概略図であり、図７は、本発明の実施の形態１に係る内蓋４０Ａの分解斜視図であり、図８は、本発明の実施の形態１に係る第一の内蓋５０Ａの外観斜視図であり、図９は、本発明の実施の形態１に係る第二の内蓋６０Ａの外観斜視図である。
【００２４】
次に、本実施の形態１に係る内蓋４０Ａについて図５〜図９を用いて詳細に説明する。
内蓋４０Ａは、上記の通り第一の内蓋５０Ａと第二の内蓋６０Ａとからなり、第二の内蓋６０Ａは第一の内蓋５０Ａの下面に対して着脱自在に取り付けられる。
【００２５】
図８に示すように、第一の内蓋５０Ａは、その下面の外周部に第一のパッキン５１が設けられており、その第一のパッキン５１よりも内側には第一の係止部５３および第二の係止部５６が設けられている。なお、第一の係止部５３と第二の係止部５６とは、互いに対向する位置に設けられている。図７に示すように、第一の係止部５３は、第二の内蓋６０Ａの着脱時にスライド（移動）する第一の係止片５４と、第一の係止片５４を第一の内蓋５０Ａの中心方向に付勢するバネを介してスライド自在に保持する係止片ホルダー５５とを備えている。また、第二の係止部５６には、凹形状の凹部５６ａが設けられている。ここで、第一の係止片５４は、耐蒸気性の高い材料であるシンジオタクチックポリスチレン樹脂（ＳＰＳ）で構成されており、蒸気による経年劣化を抑制している。
【００２６】
また、第一の内蓋５０Ａの下面に設けられている第一の係止部５３よりも内側には、角丸な長方形状の孔である第一の連通孔５２が二つ形成されている。なお、第一の連通孔５２の数は二つに限定されない。また、第一の内蓋５０Ａの第一の係止部５３側の外周端には、外側に向かって突出した第一の凸部５７が設けられており、第一の内蓋５０Ａの外周端の第一の凸部５７と対向する位置には、外側に向かって突出した第二の凸部５８が設けられている。
【００２７】
第一の係止片５４は、図６に示すように、第一の内蓋５０Ａの下面側に位置し、ユーザが移動させる際に把持するレバー部５４ａと、第一の内蓋５０Ａの蓋体２０側となる面、つまり上面側に位置し、レバー部５４ａに連動して移動する干渉部５４ｂと、第一の内蓋５０Ａの下面側に位置する凹形状の凹部５４ｃとを備えている。
【００２８】
第二の内蓋６０Ａは、その上面の外周部に第二のパッキン６４が設けられている。また、図９に示すように、中央部が下方に突出し、おネバ溜め空間６１ａを形成する溜まり部６１が設けられている。溜まり部６１の中央には開閉弁６２が設けられており、溜まり部６１の外周には円形状の孔である第二の連通孔６３が複数形成されている。また、第二の内蓋６０Ａの外周端には、外側に向かって突出した第一の凸部６５および第二の凸部６６が設けられている。なお、第一の凸部６５と第二の凸部６６とは、互いに対向する位置に設けられている。
【００２９】
開閉弁６２は、例えば耐熱性を有するシリコンゴムなどで構成されており、連結口を開閉するものであり、炊飯時に発生する内釜３０内の蒸気圧で上方に移動して連結口を密閉状態とし、炊飯が終了したときには、自重で下がって連結口を開状態とする。また、溜まり部６１には、炊飯時に蒸気から分離されたおネバが溜まるようになっている。
【００３０】
図１０は、本発明の実施の形態１に係る第二の内蓋６０Ａの第一の内蓋５０Ａへの着脱方法を説明する内蓋４０Ａの側面概略図である。なお、図１０（ａ）は、第二の内蓋６０Ａの第一の内蓋５０Ａへの取り付け完了前の状態を示す図であり、図１０（ｂ）は、第二の内蓋６０Ａの第一の内蓋５０Ａへの取り付け完了後の状態を示す図であり、図１０（ｃ）は、第二の内蓋６０Ａの第一の内蓋５０Ａからの取り外し完了前の状態を示す図である。
【００３１】
次に、第二の内蓋６０Ａの第一の内蓋５０Ａへの着脱方法について図１０を用いて説明する。
第二の内蓋６０Ａを第一の内蓋５０Ａに取り付けるには、まず、図１０（ａ）に示すように第二の内蓋６０Ａの第二の凸部６６を第一の内蓋５０Ａの凹部５６ａに挿入する。その後、第二の内蓋６０Ａの第二の凸部６６を中心として第二の内蓋６０Ａの第一の凸部６５側を第一の内蓋５０Ａ側に回動させる、つまり、第二の内蓋６０Ａの第一の凸部６５を第一の内蓋５０Ａの第一の係止片５４に向かって押し付ける。すると、第一の内蓋５０Ａの第一の係止片５４は第二の内蓋６０Ａの第一の凸部６５と干渉、つまり接触し、第二の内蓋６０Ａの第一の凸部６５に押された第一の内蓋５０Ａの第一の係止片５４は、第一の係止片５４を第一の内蓋５０Ａの中心方向に付勢するバネの弾性力に抗して第一の内蓋５０Ａの外側に移動する。第二の内蓋６０Ａの第一の凸部６５が第一の内蓋５０Ａの凹部５４ｃに到達したら、第一の内蓋５０Ａの第一の係止片５４が第一の内蓋５０Ａの内側に移動し、図１０（ｂ）に示すように第二の内蓋６０Ａの第一の凸部６５が第一の内蓋５０Ａの凹部５４ｃに係止される。このようにして、第二の内蓋６０Ａを第一の内蓋５０Ａに取り付けることができる。
【００３２】
一方、第二の内蓋６０Ａを第一の内蓋５０Ａから取り外すには、図１０（ｃ）に示すように第一の内蓋５０Ａのレバー部５４ａを把持して第一の係止片５４を、第一の係止片５４を第一の内蓋５０Ａの中心方向に付勢するバネの弾性力に抗して第一の内蓋５０Ａの外側に移動させる。そして、第二の内蓋６０Ａの第一の凸部６５が第一の内蓋５０Ａの凹部５４ｃに係止された状態が解除されたら、第二の内蓋６０Ａの第二の凸部６６を中心として第二の内蓋６０Ａの第一の凸部６５側を第一の内蓋５０Ａ側とは反対側に回動させる、つまり、第二の内蓋６０Ａの第一の凸部６５を第一の内蓋５０Ａの第一の係止片５４から離す。その後、第二の内蓋６０Ａの第二の凸部６６を第一の内蓋５０Ａの凹部５６ａから抜く。このようにして、第二の内蓋６０Ａを第一の内蓋５０Ａから取り外すことができる。
【００３３】
図１１は、本発明の実施の形態１に係る炊飯器１００Ａの第一の内蓋５０Ａに第二の内蓋６０Ａが取り付けられている状態の蓋体２０周辺の側面概略図であり、図１２は、本発明の実施の形態１に係る炊飯器１００Ａの第一の内蓋５０Ａに第二の内蓋６０Ａが取り付けられていない状態の蓋体２０周辺の側面概略図であり、図１３は、本発明の実施の形態１に係る炊飯器１００Ａの第一の内蓋５０Ａに第二の内蓋６０Ａが取り付けられている状態の縦断面概略図であり、図１４は、本発明の実施の形態１に係る炊飯器１００Ａの第一の内蓋５０Ａに第二の内蓋６０Ａが取り付けられていない状態の縦断面概略図である。なお、図１３（ｂ）は、図１３（ａ）に示す炊飯器１００Ａの点線で囲まれた部分の拡大図を示しており、図１４（ｂ）は、図１４（ａ）に示す炊飯器１００Ａの点線で囲まれた部分の拡大図を示している。
【００３４】
次に、内蓋４０Ａの蓋体２０への着脱方法について図１１〜図１４を用いて説明する。
内蓋４０Ａを蓋体２０に取り付けるには、まず第一の内蓋５０Ａの第一の凸部５７を蓋体２０の下面と支持部２６との間に挿入する。その後、第一の内蓋５０Ａの第一の凸部５７を中心として第一の内蓋５０Ａの第二の凸部５８側を蓋体２０側に回動させる、つまり、第一の内蓋５０Ａの第二の凸部５８側の端部を蓋体２０の第二の係止片２５に向かって押し付ける。第二の係止片２５は、バネにより蓋体２０の背面側へ付勢される。
【００３５】
このとき、第二の内蓋６０Ａが第一の内蓋５０Ａに取り付けられている状態であれば、蓋体２０の第二の係止片２５は第一の内蓋５０Ａの第二の凸部５８側の端部と干渉し、第二の係止片２５を蓋体２０の背面側へ付勢するバネの弾性力に抗して押されて蓋体２０の前面側に移動する。そして、第一の内蓋５０Ａの第二の凸部５８が蓋体２０の凹部２５ａに到達したら、蓋体２０の第二の係止片２５が蓋体２０の背面側に移動し、図１１および図１３に示すように第一の内蓋５０Ａの第二の凸部５８が蓋体２０の凹部２５ａに係止される。このようにして、内蓋４０Ａを蓋体２０に取り付けることができる。なお、このとき、第一の内蓋５０Ａの干渉部５４ｂは蓋体２０の周縁部２７内、つまり蓋体蒸気経路２７ａ内に収納されている。
【００３６】
一方、第二の内蓋６０Ａが第一の内蓋５０Ａに取り付けられていない状態であれば、図１２および図１４に示すように、第一の内蓋５０Ａの第一の凸部５７を中心として第一の内蓋５０Ａの第二の凸部５８側を蓋体２０側に回動させると、第一の内蓋５０Ａの第二の凸部５８側の端部が蓋体２０の第二の係止片２５と干渉する前に、第一の内蓋５０Ａの干渉部５４ｂが蓋体２０の周縁部２７と干渉する。そして、第一の内蓋５０Ａがそれ以上蓋体２０側に回動しないようになっている。
【００３７】
図１５は、本発明の実施の形態１に係る第一の内蓋５０Ａの第一の係止片５４の干渉部５４ｂの位置を説明する平面視図である。なお、図１５（ａ２）は図１５（ａ１）に示す第一の内蓋５０Ａの点線で囲まれた部分の拡大図を示しており、図１５（ｂ２）は図１５（ｂ１）に示す第一の内蓋５０Ａの点線で囲まれた部分の拡大図を示しており、図１５（ｃ２）は図１５（ｃ１）に示す第一の内蓋５０Ａの点線で囲まれた部分の拡大図を示している。
【００３８】
ここで、第一の内蓋５０Ａの第一の係止片５４の干渉部５４ｂの位置について説明する。
図１５に示すように、第一の内蓋５０Ａの干渉部５４ｂの位置は、第二の内蓋６０Ａが第一の内蓋５０Ａに取り付けられている状態かどうかによって変わる。そして、図１５（ａ２）に示すように、第二の内蓋６０Ａが第一の内蓋５０Ａに取り付けられている状態であれば、第一の内蓋５０Ａの干渉部５４ｂは、第二の内蓋６０Ａの第一の凸部６５によって押されて第一の内蓋５０Ａの外側に移動し、蓋体２０の蓋体蒸気経路２７ａ内に収納される位置、つまり蓋体２０の周縁部２７と干渉しない位置となる。一方、図１５（ｂ２）に示すように、第二の内蓋６０Ａが第一の内蓋５０Ａに取り付けられていない状態であれば、第一の内蓋５０Ａの干渉部５４ｂは初期位置に移動し、蓋体２０の周縁部２７と干渉する位置となる。
【００３９】
このように、第二の内蓋６０Ａが第一の内蓋５０Ａに取り付けられていない状態では、第一の内蓋５０Ａを蓋体２０に取り付けようとすると、第一の内蓋５０Ａの干渉部５４ｂが蓋体２０の周縁部２７と干渉する位置にあるため、第一の内蓋５０Ａを蓋体２０に取り付けられないようになっている。そのため、第二の内蓋６０Ａの取り付け忘れを防止することができる。
【００４０】
また、第二の内蓋６０Ａが第一の内蓋５０Ａに取り付けられていない状態では、第一の内蓋５０Ａの第一の凸部５７を中心として第一の内蓋５０Ａの第二の凸部５８側を蓋体２０側に回動させると、第一の内蓋５０Ａの第二の凸部５８側の端部が蓋体２０の第二の係止片２５と干渉する前に、第一の内蓋５０Ａの干渉部５４ｂが蓋体２０の周縁部２７と干渉するようになっており、第一の内蓋５０Ａが蓋体２０側に回動しないことを認識しやすくなっている。そのため、第一の内蓋５０Ａを蓋体２０に無理矢理取り付けようとして第一の内蓋５０Ａの第二の凸部５８側の端部を蓋体２０の第二の係止片２５に向かって押し付けるのを防止することができる。
【００４１】
また、第二の内蓋６０Ａを第一の内蓋５０Ａから取り外す際に必要な第一の内蓋５０Ａの第一の係止片５４の移動量は、内蓋４０Ａが蓋体２０に取り付けられた状態で第一の係止片５４の干渉部５４ｂが蓋体２０の周縁部２７と干渉するまでの移動量よりも大きい。つまり、第二の内蓋６０Ａを第一の内蓋５０Ａから取り外すには、図１５（ｃ２）に示すように、第一の内蓋５０Ａの干渉部５４ｂを蓋体２０の蓋体蒸気経路２７ａ内に収納される位置からさらに第一の内蓋５０Ａの外側の位置に移動させる必要がある。そのため、内蓋４０Ａが蓋体２０に取り付けられている状態では、第一の内蓋５０Ａの第一の係止片５４を第二の内蓋６０Ａが取り外せる位置まで移動するより先に、第一の内蓋５０Ａの干渉部５４ｂが第二の内蓋６０Ａの周縁部２７に干渉するため、第二の内蓋６０Ａを取り外せないようになっている。これによって、内蓋４０Ａが蓋体２０に取り付いた状態で、第二の内蓋６０Ａのみ取り外された状態になることを防止し、第二の内蓋６０Ａの取り付け忘れを防止することができる。
【００４２】
また、第一の連通孔５２は、第一の係止片５４が設けられていない位置に形成されており、かつ、第一の係止片５４の移動範囲外の位置に形成されている。そのため、第一の係止片５４によって第一の連通孔５２が塞がれることがなく、蒸気が蒸気口２８から炊飯器１００Ａの外部へ排出されにくくなるのを抑制することができる。
【００４３】
図１６は、本発明の実施の形態１に係る炊飯器１００Ａの蓋体２０に内蓋４０Ａが取り付けられていない状態の縦断面概略図である。なお、図１６（ｂ）は、図１６（ａ）に示す炊飯器１００Ａの点線で囲まれた部分の拡大図を示している。
内蓋４０Ａが蓋体２０に取り付けられている状態では、蓋体２０の第二の係止片２５は、内蓋４０Ａの端部によって押されて移動し、内釜３０のフランジ３１と干渉しない位置となるが、内蓋４０Ａが蓋体２０に取り付けられていない状態では、図１６に示すように、蓋体２０の第二の係止片２５は初期位置に移動し、内釜３０のフランジ３１と干渉する位置となる。
【００４４】
このように、内蓋４０Ａが蓋体２０に取り付けられていない状態で蓋体２０を閉めようとすると、蓋体２０の第二の係止片２５が内釜３０のフランジ３１と干渉する位置にあるため、蓋体２０を閉められないようになっている。そのため、内蓋４０Ａの取り付け忘れを防止することができる。
【００４５】
以上、本実施の形態１に係る炊飯器１００Ａによれば、第一の内蓋５０Ａが備える第一の係止片５４により、第二の内蓋６０Ａを係止し、第二の内蓋６０Ａを第一の内蓋５０Ａに取り付けることができる。また、第二の内蓋６０Ａが第一の内蓋５０Ａに取り付けられていない状態で第一の内蓋５０Ａを蓋体２０に取り付けようとすると、第一の内蓋５０Ａの第一の係止片５４と蓋体２０とが干渉し、第一の内蓋５０Ａを蓋体２０に取り付けることができない。そのため、第二の内蓋６０Ａの取り付け忘れを防止することができる。つまり、第一の係止片５４により、第二の内蓋６０Ａを第一の内蓋５０Ａに取り付けることができ、第二の内蓋６０Ａの取り付け忘れを防止することができるため、第二の内蓋６０Ａを第一の内蓋５０Ａに取り付ける機構と第二の内蓋６０Ａの取り付け忘れを防止する機構とを別に設ける必要がなく、コストを抑制しつつ、第二の内蓋６０Ａの取り付け忘れを防止することができる。
【００４６】
実施の形態２．
以下、本発明の実施の形態２について説明するが、実施の形態１と重複するものについては（一部の）説明を省略し、実施の形態１と同じ部分または相当する部分には同じ符号を付す。
【００４７】
図１７は、本発明の実施の形態２に係る炊飯器１００Ｂの縦断面概略図であり、図１８は、本発明の実施の形態２に係る内蓋４０Ｂを下面側から見た外観斜視図であり、図１９は、本発明の実施の形態２に係る内蓋４０Ｂを上面側から見た外観斜視図であり、図２０は、本発明の実施の形態２に係る内蓋４０Ｂの分解斜視図である。
本実施の形態２では、第二の内蓋６０Ｂを第一の内蓋５０Ｂに係止する構造が実施の形態１とは異なっている。
【００４８】
図１７〜図１９に示すように、第一の内蓋５０Ｂの内釜３０側となる面、つまり下面には、外周部に第一のパッキン５１が設けられており、その第一のパッキン５１よりも内側には第二の係止部５６が設けられている。また、第一の内蓋５０Ｂの蓋体２０側となる面、つまり上面には、第一の係止部７０が設けられている。なお、第一の係止部７０と第二の係止部５６とは、互いに対向する位置に設けられている。図２０に示すように、第一の係止部７０は、第二の内蓋６０Ｂの着脱時にスライド（移動）する第一の係止片７１と、第一の係止片７１をバネを介してスライド自在に保持する係止片ホルダー７２とを備えている。また、第二の係止部５６には、凹形状の凹部５６ａが設けられている。ここで、第一の係止片７１は、耐蒸気性の高い材料であるシンジオタクチックポリスチレン樹脂（ＳＰＳ）で構成されており、蒸気による経年劣化を抑制している。
【００４９】
また、第一の内蓋５０Ｂの下面の第一の係止部７０よりも内側には、角丸な長方形状の孔である第一の連通孔５２が二つ形成されている。なお、第一の連通孔５２の数は二つに限定されない。また、第一の内蓋５０Ｂの第一の係止部７０側の外周端には、外側に向かって突出した第一の凸部５７が設けられており、第一の内蓋５０Ｂの外周端の第一の凸部５７と対向する位置には、外側に向かって突出した第二の凸部５８が設けられている。
【００５０】
第一の係止片７１は、第一の内蓋５０Ｂの上面に位置しており、ユーザが移動させる際に把持するレバー部７１ａと、第一の内蓋５０Ｂの外側に向かって突出した爪部７１ｂと、第一の係止片７１の両側面に設けられ爪部７１ｂよりもさらに突出した干渉部７１ｃとを備えている。また、係止片ホルダー７２は、第一の内蓋５０Ｂの上面に位置しており、凹形状の凹部７２ａと、干渉部７１ｃが出入りする孔部７２ｂとを備えている。また、係止片ホルダー７２は、バネにより第一の係止片７１を第一の内蓋５０Ｂの外側方向に付勢する。
【００５１】
第二の内蓋６０Ｂは、第一の内蓋５０Ｂ側となる面、つまり上面の外周部に第二のパッキン６４が設けられている。また、中央部が下方に突出し、おネバ溜め空間６１ａを形成する溜まり部６１が設けられている。溜まり部６１の中央には開閉弁６２が設けられており、溜まり部６１の外周には円形状の孔である第二の連通孔６３が複数形成されている。また、第二の内蓋６０Ｂの外周端には、外側に向かって突出した第一の凸部８０および第二の凸部６６が設けられている。なお第一の凸部８０と第二の凸部６６とは、互いに対向する位置に設けられている。
第一の凸部８０は、上記の通り第二の内蓋６０Ｂの外側に向かって突出しており、さらに端部が上面側に向かって突出した爪部８０ａを備えている。
【００５２】
図２１は、本発明の実施の形態２に係る第二の内蓋６０Ｂの第一の内蓋５０Ｂへの着脱方法を説明する内蓋４０Ｂの側面概略図である。なお、図２１（ａ）は、第二の内蓋６０Ｂの第一の内蓋５０Ｂへの取り付け完了前の状態を示す図であり、図２１（ｂ）は、第二の内蓋６０Ｂの第一の内蓋５０Ｂへの取り付け完了後の状態を示す図であり、図２１（ｃ）は、第二の内蓋６０Ｂの第一の内蓋５０Ｂからの取り外し完了前の状態を示す図である。
【００５３】
次に、第二の内蓋６０Ｂの第一の内蓋５０Ｂへの着脱方法について図２１を用いて説明する。
第二の内蓋６０Ｂを第一の内蓋５０Ｂに取り付けるには、まず、図２１（ａ）に示すように第二の内蓋６０Ｂの第二の凸部６６を第一の内蓋５０Ｂの凹部５６ａに挿入する。その後、第二の内蓋６０Ｂの第二の凸部６６を中心として第二の内蓋６０Ｂの第一の凸部８０側を第一の内蓋５０Ｂ側に回動させる、つまり、第二の内蓋６０Ｂの第一の凸部８０を第一の内蓋５０Ｂの第一の係止片７１に向かって押し付ける。すると、第一の内蓋５０Ｂの第一の係止片７１は第二の内蓋６０Ｂの第一の凸部８０の爪部８０ａと干渉、つまり接触し、第一の凸部８０の爪部８０ａに押された第一の係止片７１は、第一の係止片７１を第一の内蓋５０Ｂの外側方向に付勢するバネの弾性力に抗して第一の内蓋５０Ｂの内側に移動する。第一の凸部８０の爪部８０ａの底面が第一の係止片７１の爪部７１ｂの先端部を越えたら、第一の係止片７１が第一の内蓋５０Ｂの外側に移動し、図２１（ｂ）に示すように第二の内蓋６０Ｂの第一の凸部８０の爪部８０ａが第一の内蓋５０Ｂの第一の係止片７１の爪部７１ｂに係止される。このようにして、第二の内蓋６０Ｂを第一の内蓋５０Ｂに取り付けることができる。
【００５４】
一方、第二の内蓋６０Ｂを第一の内蓋５０Ｂから取り外すには、図２１（ｃ）に示すように第一の内蓋５０Ｂのレバー部７１ａを把持して第一の係止片７１を第一の内蓋５０Ｂの内側に移動させる。そして、第二の内蓋６０Ｂの第一の凸部８０の爪部８０ａが第一の内蓋５０Ｂの第一の係止片７１の爪部７１ｂに係止された状態が解除されたら、第二の内蓋６０Ｂの第二の凸部６６を中心として第一の内蓋５０Ｂの第一の凸部８０側を第一の内蓋５０Ｂ側とは反対側に回動させる、つまり、第二の内蓋６０Ｂの第一の凸部８０を第一の内蓋５０Ｂの第一の係止片７１から離す。その後、第二の内蓋６０Ｂの第二の凸部６６を第一の内蓋５０Ｂの凹部５６ａから抜く。このようにして、第二の内蓋６０Ｂを第一の内蓋５０Ｂからに取り外すことができる。
【００５５】
図２２は、本発明の実施の形態２に係る炊飯器１００Ｂの第一の内蓋５０Ｂに第二の内蓋６０Ｂが取り付けられている状態の蓋体２０周辺の縦断面概略図であり、図２３は、本発明の実施の形態２に係る炊飯器１００Ｂの第一の内蓋５０Ｂに第二の内蓋６０Ｂが取り付けられていない状態の蓋体２０周辺の縦断面概略図である。なお、図２３（ｂ）は、図２３（ａ）に示す炊飯器１００Ｂの点線で囲まれた部分の拡大図を示している。
【００５６】
次に、内蓋４０Ｂの蓋体２０への着脱方法について図２２〜図２３を用いて説明する。
内蓋４０Ｂを蓋体２０に取り付けるには、まず第一の内蓋５０Ｂの第一の凸部５７を蓋体２０の下面と支持部２６との間に挿入する。その後、第一の内蓋５０Ａの第一の凸部５７を中心として第一の内蓋５０Ｂの第二の凸部５８側を蓋体２０側に回動させる、つまり、第一の内蓋５０Ｂの第二の凸部５８側の端部を蓋体２０の第二の係止片２５に向かって押し付ける。第二の係止片２５は、バネにより蓋体２０の背面側へ付勢される。
【００５７】
このとき、第二の内蓋６０Ｂが第一の内蓋５０Ｂに取り付けられている状態であれば、蓋体２０の第二の係止片２５は第一の内蓋５０Ｂの第二の凸部５８側の端部と干渉し、第二の係止片２５を蓋体２０の背面側へ付勢するバネの弾性力に抗して押されて蓋体２０の前面側に移動する。そして、第一の内蓋５０Ｂの第二の凸部５８が蓋体２０の凹部２５ａに到達したら、蓋体２０の第二の係止片２５が蓋体２０の背面側に移動し、図２２に示すように第一の内蓋５０Ｂの第二の凸部５８が蓋体２０の凹部２５ａに係止される。このようにして、内蓋４０Ｂを蓋体２０に取り付けることができる。なお、このとき、第一の内蓋５０Ｂの第一の係止片７１全体であるレバー部７１ａ、爪部７１ｂ、および、干渉部７１ｃが蓋体２０の周縁部２７内、つまり蓋体蒸気経路２７ａ内に収納されている。
【００５８】
一方、第二の内蓋６０Ｂが第一の内蓋５０Ｂに取り付けられていない状態であれば、図２３に示すように、第一の内蓋５０Ｂの第二の凸部５８側の端部が蓋体２０の第二の係止片２５と干渉する前に、第一の内蓋５０Ｂの干渉部７１ｃが蓋体２０の周縁部２７と干渉する。そして、第一の内蓋５０Ｂがそれ以上蓋体２０側に回動しないようになっている。
【００５９】
図２４は、本発明の実施の形態２に係る第一の内蓋５０Ｂの第一の係止片７１の干渉部７１ｃの位置を説明する平面視図である。なお、図２４（ａ２）は図２４（ａ１）に示す第一の内蓋５０Ｂの点線で囲まれた部分の拡大図を示しており、図２４（ｂ２）は図２４（ｂ１）に示す第一の内蓋５０Ｂの点線で囲まれた部分の拡大図を示しており、図２４（ｃ２）は図２４（ｃ１）に示す第一の内蓋５０Ｂの点線で囲まれた部分の拡大図を示している。
【００６０】
ここで、第一の内蓋５０Ｂの第一の係止片７１の干渉部７１ｃの位置について説明する。
図２４に示すように、第一の内蓋５０Ｂの干渉部７１ｃの位置は、第二の内蓋６０Ｂが第一の内蓋５０Ｂに取り付けられている状態かどうかによって変わる。そして、図２４（ａ２）に示すように、第二の内蓋６０Ｂが第一の内蓋５０Ｂに取り付けられている状態であれば、第一の内蓋５０Ｂの干渉部７１ｃは、第二の内蓋６０Ｂの第一の凸部８０の爪部８０ａによって押されて第一の内蓋５０Ｂの内側に移動し、蓋体２０の蓋体蒸気経路２７ａ内に収納される位置、つまり蓋体２０の周縁部２７と干渉しない位置となる。一方、図２４（ｂ２）に示すように、第二の内蓋６０Ｂが第一の内蓋５０Ｂに取り付けられていない状態であれば、第一の内蓋５０Ｂの干渉部７１ｃは初期位置に移動し、蓋体２０の周縁部２７と干渉する位置となる。
【００６１】
このように、第二の内蓋６０Ｂが第一の内蓋５０Ｂに取り付けられていない状態では、第一の内蓋５０Ｂを蓋体２０に取り付けようとすると、第一の内蓋５０Ｂの干渉部７１ｃが蓋体２０の周縁部２７と干渉する位置にあるため、第一の内蓋５０Ｂを蓋体２０に取り付けられないようになっている。そのため、第二の内蓋６０Ｂの取り付け忘れを防止することができる。
【００６２】
また、第二の内蓋６０Ｂが第一の内蓋５０Ｂに取り付けられていない状態では、第一の内蓋５０Ａの第一の凸部５７を中心として第一の内蓋５０Ｂの第二の凸部５８側を蓋体２０側に回動させると、第一の内蓋５０Ｂの第二の凸部５８側の端部が蓋体２０の第二の係止片２５と干渉する前に、第一の内蓋５０Ｂの干渉部７１ｃが蓋体２０の周縁部２７と干渉するようになっており、第一の内蓋５０Ｂが蓋体２０側に回動しないことを認識しやすくなっている。そのため、第一の内蓋５０Ｂを蓋体２０に無理矢理取り付けようとして第一の内蓋５０Ｂの第二の凸部５８側の端部を蓋体２０の第二の係止片２５に向かって押し付けるのを防止することができる。
【００６３】
また、第一の内蓋５０Ｂが蓋体２０に取り付いた状態では、第一の係止片７１は蓋体蒸気経路２７ａ内に収納され、触れることができない。そのため、第一の内蓋５０Ｂが蓋体２０に取り付いた状態で、第二の内蓋６０Ｂのみを取り外すことはできない。これによって、第一の内蓋５０Ｂが蓋体に取り付いた状態で、第二の内蓋６０Ｂのみ取り外された状態になることを防止し、第二の内蓋６０Ｂの取り付け忘れを防止することができる。
【００６４】
また、第一の連通孔５２は、第一の係止片７１が設けられていない位置に形成されており、かつ、第一の係止片７１の移動範囲外の位置に形成されている。そのため、第一の係止片７１によって第一の連通孔５２が塞がれることがなく、蒸気が蒸気口２８から炊飯器１００Ａの外部へ排出されにくくなるのを抑制することができる。
【００６５】
以上、本実施の形態２に係る炊飯器１００Ｂによれば、第一の内蓋５０Ｂが備える第一の係止片７１により、第二の内蓋６０Ｂを係止し、第二の内蓋６０Ｂを第一の内蓋５０Ｂに取り付けることができる。また、第二の内蓋６０Ｂが第一の内蓋５０Ｂに取り付けられていない状態で第一の内蓋５０Ｂを蓋体２０に取り付けようとすると、第一の内蓋５０Ｂの第一の係止片７１と蓋体２０とが干渉するため、第二の内蓋６０Ｂの取り付け忘れを防止することができる。つまり、第一の係止片７１により、第二の内蓋６０Ｂを第一の内蓋５０Ｂに取り付けることができ、第二の内蓋６０Ｂの取り付け忘れを防止することができるため、第二の内蓋６０Ｂを第一の内蓋５０Ｂに取り付ける機構と第二の内蓋６０Ｂの取り付け忘れを防止する機構とを別に設ける必要がなく、コストを抑制しつつ、第二の内蓋６０Ｂの取り付け忘れを防止することができる。
【符号の説明】
【００６６】
１０  本体、１１  加熱コイル、１２  ヒンジ部、１３  温度センサー、１４  開閉ボタン、１５  電源基板、２０  蓋体、２１  操作パネル、２２  操作基板、２３  蓋センサー、２４  蓋ヒーター、２５  第二の係止片、２５ａ  凹部、２６  支持部、２７  周縁部、２７ａ  蓋体蒸気経路、２８  蒸気口、２９  第三のパッキン、３０  内釜、３１  フランジ、４０Ａ  内蓋、４０Ｂ  内蓋、５０Ａ  第一の内蓋、５０Ｂ  第二の内蓋、５１  第一のパッキン、５２  第一の連通孔、５３  第一の係止部、５４  第一の係止片、５４ａ  レバー部、５４ｂ  干渉部、５４ｃ  凹部、５５  係止片ホルダー、５６  第二の係止部、５６ａ  凹部、５７  第一の凸部、５８  第二の凸部、６０Ａ  第二の内蓋、６０Ｂ  第二の内蓋、６１  溜まり部、６１ａ  おネバ溜め空間、６２  開閉弁、６３  第二の連通孔、６４  第二のパッキン、６５  第一の凸部、６６  第二の凸部、７０  第一の係止部、７１  第一の係止片、７１ａ  レバー部、７１ｂ  爪部、７１ｃ  干渉部、７２  係止片ホルダー、７２ａ  凹部、７２ｂ  孔部、８０  第一の凸部、８０ａ  爪部、１００Ａ  炊飯器、１００Ｂ  炊飯器。
【図１】
2017145437.tif 000003
【図２】
2017145437.tif 000004
【図３】
2017145437.tif 000005
【図４】
2017145437.tif 000006
【図５】
2017145437.tif 000007
【図６】
2017145437.tif 000008
【図７】
2017145437.tif 000009
【図８】
2017145437.tif 000010
【図９】
2017145437.tif 000011
【図１０】
2017145437.tif 000012
【図１１】
2017145437.tif 000013
【図１２】
2017145437.tif 000014
【図１３】
2017145437.tif 000015
【図１４】
2017145437.tif 000016
【図１５】
2017145437.tif 000017
【図１６】
2017145437.tif 000018
【図１７】
2017145437.tif 000019
【図１８】
2017145437.tif 000020
【図１９】
2017145437.tif 000021
【図２０】
2017145437.tif 000022
【図２１】
2017145437.tif 000023
【図２２】
2017145437.tif 000024
【図２３】
2017145437.tif 000025
【図２４】
2017145437.tif 000026
【国際調査報告】
2017145437.tif 000027
2017145437.tif 000028